(57)【要約】【課題】生体情報モニタの使用場面に応じて自在にそのコンポーネントの組合せを変更させること。【解決手段】生体情報モニタは、キャリア、入力装置、表示装置およびベースユニットの、４つのコンポーネントから構成される。把手部を備えたキャリアには、入力装置および表示装置が別々に装着可能である。キャリアの底部はベースユニット上に載置可能である。また、キャリアは３つのコネクタ部を有し、これらのコネクタ部により、入力装置、表示装置およびベースユニットは、キャリアを介して電気的に接続される。また、キャリア本体は予備電源部および電源制御部を有する。【選択図】図６
2014161680.tif 000002
【特許請求の範囲】
【請求項１】
患者に装着された生体情報検出部を接続させるための入力コネクタ部を有し、前記入力コネクタ部を介して前記患者から生体情報データを取得する入力装置と、
前記入力装置により取得された生体情報データを表示する表示装置と、
外部からの供給電源により前記入力装置および前記表示装置の少なくとも一方を駆動させるための電源部を有するベースユニットと、
前記ベースユニット上に載置可能な底部を有するキャリアであって、当該キャリアを前記ベースユニットから分離して持ち上げるための把手部が設けられている、キャリアと、
を有し、
前記キャリアは、
前記入力装置を着脱可能な第１装着部と、
前記表示装置を着脱可能な第２装着部と、
前記第１装着部に前記入力装置が装着されたときに前記入力装置と前記ベースユニットおよび前記表示装置とを電気的に接続させるための第１コネクタ部と、
前記第２装着部に前記表示装置が装着されたときに前記表示装置と前記ベースユニットおよび前記入力装置とを電気的に接続させるための第２コネクタ部と、
前記キャリアが前記ベースユニット上に載置されたときに前記ベースユニットと前記入力装置および前記表示装置とを電気的に接続させるための第３コネクタ部と、
前記キャリアの内部に収容されたバッテリからの供給電源により前記入力装置および前記表示装置を駆動させるための予備電源部と、
を有する、
生体情報モニタ。
【請求項２】
前記第１装着部および前記第２装着部に装着された装置を駆動させるための駆動電源部として、前記電源部および前記予備電源部のいずれか一方を選択する電源制御部を有する、
請求項１に記載の生体情報モニタ。
【請求項３】
前記電源制御部は、前記第１装着部および前記第２装着部に装着された装置に対する前記電源部からの電源供給が停止したときに前記駆動電源部として前記予備電源部を選択する、
請求項２に記載の生体情報モニタ。
【請求項４】
前記電源制御部は、前記キャリアが前記ベースユニットから分離されたときに前記駆動電源部として前記予備電源部を選択する、
請求項２に記載の生体情報モニタ。
【請求項５】
前記表示装置は、テレメータを着脱可能なテレメータインタフェース部を有する、
請求項１から４のいずれか１項に記載の生体情報モニタ。
【請求項６】
前記ベースユニットは、外部の通信ネットワークへの接続のためのネットワークインタフェース部を有する、
請求項１から５のいずれか１項に記載の生体情報モニタ。
【請求項７】
前記キャリアは、前記キャリアの内部に収容されたバッテリを充電するための充電部を有する、
請求項１から６のいずれか１項に記載の生体情報モニタ。
【請求項８】
前記ベースユニットは、前記キャリアの内部に収容可能なバッテリを収容するバッテリ収容部と、前記バッテリ収容部に収容されたバッテリを充電するための充電部と、を有する、
請求項１から６のいずれか１項に記載の生体情報モニタ。
【請求項９】
生体情報モニタのキャリアであって、
前記生体情報モニタのベースユニット上に載置可能な底部と、
前記キャリアを前記ベースユニットから分離して持ち上げるための把手部と、
前記生体情報モニタの入力装置を着脱可能な第１装着部と、
前記生体情報モニタの表示装置を着脱可能な第２装着部と、
前記第１装着部に前記入力装置が装着されたときに前記入力装置と前記ベースユニットおよび前記表示装置とを電気的に接続させるための第１コネクタ部と、
前記第２装着部に前記表示装置が装着されたときに前記表示装置と前記ベースユニットおよび前記入力装置とを電気的に接続させるための第２コネクタ部と、
前記キャリアが前記ベースユニット上に載置されたときに前記ベースユニットと前記入力装置および前記表示装置とを電気的に接続させるための第３コネクタ部と、
前記キャリアの内部に収容されたバッテリからの供給電源により前記入力装置および前記表示装置を駆動させるための予備電源部と、
を有する、
生体情報モニタのキャリア。
【発明の詳細な説明】
【技術分野】
【０００１】
本発明は、生体情報モニタ、およびこれを持ち運ぶためのキャリアに関する。
【背景技術】
【０００２】
生体情報モニタは、患者から計測された心拍数や血圧、呼吸数などの生体情報を数値または波形の形式で表示部に一括表示させることができる医療機器である（例えば、特許文献１参照）。このような生体情報モニタは一般に、心電電極および各種生体情報計測用のセンサが接続されて患者から生体情報データを取得するための入力装置、取得された生体情報データを表示するための表示装置、ならびにこれらを駆動させるための電源装置を備えて構成されている。
【０００３】
また、患者搬送などの移動時にも使用可能となるようにバッテリを内蔵して、商用電源および内蔵バッテリのどちらでも駆動可能な生体情報モニタも、従来知られている（例えば、特許文献２参照）。このような患者搬送の用途で使用される生体情報モニタの本体には、その持ち運びに便利な把手部が設けられる場合がある。
【先行技術文献】
【特許文献】
【０００４】
【特許文献１】特開２００４−１９４９９６号公報
【特許文献２】特開２０１０−２００８９６号公報
【発明の概要】
【発明が解決しようとする課題】
【０００５】
患者搬送用途で使用可能な生体情報モニタにおいては、搬送性確保の観点から、入力装置、表示装置および電源装置といったコンポーネントが一体となっていることが求められる。ところが、このような生体情報モニタは一個所に固定されず様々な場所に移設されてあるいは移動しながら使用され得ることから、様々な場面での使用が考えられる。そして、使用場面によっては一部のコンポーネントが必ずしも必要でなくなる場合がある。
【０００６】
そこで、使用場面に応じて一部のコンポーネントをその他のコンポーネントから分離できるように生体情報モニタを構成することが求められる。例えば、入力装置と電源装置とを一体化させておいてこれらから表示装置だけを分離したい場合がある。また、表示装置と電源装置とを一体化させておいてこれらから入力装置だけを分離したい場合もある。また、入力装置と表示装置とを一体化させておいてこれらを電源装置から分離したい場合もある。さらに、入力装置と表示装置とを電源装置から分離した場合において、入力装置と表示装置とを移動させながら使用したい場合もある。しかしながら、使用場面に応じて自在にコンポーネントの組合せを変更可能な生体情報モニタの構成についての提案は、従来なされていない。
【０００７】
本発明の目的は、使用場面に応じて自在にコンポーネントの組合せを変更可能な生体情報モニタおよびそのキャリアを提供することである。
【課題を解決するための手段】
【０００８】
本発明の生体情報モニタは、
患者に装着された生体情報検出部を接続させるための入力コネクタ部を有し、前記入力コネクタ部を介して前記患者から生体情報データを取得する入力装置と、
前記入力装置により取得された生体情報データを表示する表示装置と、
外部からの供給電源により前記入力装置および前記表示装置の少なくとも一方を駆動させるための電源部を有するベースユニットと、
前記ベースユニット上に載置可能な底部を有するキャリアであって、当該キャリアを前記ベースユニットから分離して持ち上げるための把手部が設けられている、キャリアと、
を有し、
前記キャリアは、
前記入力装置を着脱可能な第１装着部と、
前記表示装置を着脱可能な第２装着部と、
前記第１装着部に前記入力装置が装着されたときに前記入力装置と前記ベースユニットおよび前記表示装置とを電気的に接続させるための第１コネクタ部と、
前記第２装着部に前記表示装置が装着されたときに前記表示装置と前記ベースユニットおよび前記入力装置とを電気的に接続させるための第２コネクタ部と、
前記キャリアが前記ベースユニット上に載置されたときに前記ベースユニットと前記入力装置および前記表示装置とを電気的に接続させるための第３コネクタ部と、
前記キャリアの内部に収容されたバッテリからの供給電源により前記入力装置および前記表示装置を駆動させるための予備電源部と、
を有する。
【０００９】
本発明の生体情報モニタのキャリアは、
前記生体情報モニタのベースユニット上に載置可能な底部と、
前記キャリアを前記ベースユニットから分離して持ち上げるための把手部と、
前記生体情報モニタの入力装置を着脱可能な第１装着部と、
前記生体情報モニタの表示装置を着脱可能な第２装着部と、
前記第１装着部に前記入力装置が装着されたときに前記入力装置と前記ベースユニットおよび前記表示装置とを電気的に接続させるための第１コネクタ部と、
前記第２装着部に前記表示装置が装着されたときに前記表示装置と前記ベースユニットおよび前記入力装置とを電気的に接続させるための第２コネクタ部と、
前記キャリアが前記ベースユニット上に載置されたときに前記ベースユニットと前記入力装置および前記表示装置とを電気的に接続させるための第３コネクタ部と、
前記キャリアの内部に収容されたバッテリからの供給電源により前記入力装置および前記表示装置を駆動させるための予備電源部と、
を有する。
【発明の効果】
【００１０】
本発明によれば、生体情報モニタの使用場面に応じて自在にそのコンポーネントの組合せを変更させることができる。
【図面の簡単な説明】
【００１１】
【図１】本発明の一実施の形態に係る生体情報モニタの外観を示す正面斜視図および背面斜視図
【図２】本発明の一実施の形態に係る生体情報モニタの各コンポーネントを分離した状態を示す図
【図３】本発明の一実施の形態に係るキャリアの底面を示す図
【図４】本発明の一実施の形態に係る表示装置にテレメータを装着する方法を説明するための図
【図５】本発明の一実施の形態に係るベースユニットの外観を示す背面斜視図
【図６】本発明の一実施の形態に係る生体情報モニタの構成を示すブロック図
【発明を実施するための形態】
【００１２】
以下、本発明の実施の形態について、図面を用いて詳細に説明する。
【００１３】
図１は本発明の一実施の形態に係る生体情報モニタの外観を示す正面斜視図（図１（ａ））および背面斜視図（図１（ｂ））である。また、図２は本実施の形態に係る生体情報モニタの各コンポーネントを分離した状態を示す図であり、図３は本実施の形態に係る生体情報モニタのキャリアの底面を示す図である。
【００１４】
本実施の形態の生体情報モニタ１は、キャリア１００、入力装置２００、表示装置３００およびベースユニット４００といった４つのコンポーネントから構成されている。
【００１５】
入力装置２００は、患者に装着された生体情報検出部を接続させるための入力コネクタ部２０１を有し、この入力コネクタ部２０１を介して患者から生体情報データを取得するための装置である。また、表示装置３００は、入力装置２００により取得された生体情報データを表示するための表示部３０１を有する装置である。また、ベースユニット４００は、ベッドサイドなどの所定の場所に設置され、生体情報モニタ１のモニタ本体（つまりキャリア１００と入力装置２００と表示装置３００との組合せ）を載置するための載置台として用いられる装置である。
【００１６】
キャリア１００は、生体情報モニタ１あるいはその一部のコンポーネントを持ち運ぶために各コンポーネントと連結可能に構成されたキャリア本体１００ａを有する。また、キャリア本体１００ａには、連結されたコンポーネントとともにキャリア本体１００ａを持ち運ぶ際に把持可能に構成された把手部１０１が、設けられている。図１では、入力装置２００、表示装置３００およびベースユニット４００はキャリア１００との連結によって相互に一体化されているが、図２に示すように、各コンポーネントをキャリア１００から分離させることもできる。
【００１７】
そのため、キャリア１００のキャリア本体１００ａは、入力装置２００を装着可能な第１装着部１０２と、表示装置３００を装着可能な第２装着部１０３と、を有し、キャリア本体１００ａの底部１０４は、ベースユニット４００上に載置可能に構成されている。
【００１８】
第１装着部１０２は、キャリア本体１００ａの側面開口部から入力装置２００を挿入することで入力装置２００をキャリア本体１００ａに装着できるように構成されている。挿入された入力装置２００がキャリア本体１００ａの挿入方向最深部に突き当たると、入力装置２００のコネクタ部２０２（図６参照）がキャリア１００の第１コネクタ部１０５（図６参照）に接続された状態で、入力装置２００がキャリア１００に保持される。入力装置２００は、挿入時と逆の方向に引き抜くことで、キャリア本体１００ａから分離させることができる。
【００１９】
第２装着部１０３は、表示装置３００の背面に設けられたコネクタ部３０２（図６参照）を上方から差し込むことで表示装置３００をキャリア本体１００ａに装着できるように構成されている。コネクタ部３０２が第２装着部１０３に差し込まれて係止されると、表示装置３００がキャリア本体１００ａに保持される。表示装置３００は、差し込むときと逆に上方に引き抜くことで、キャリア本体１００ａから分離させることができる。
【００２０】
キャリア本体１００ａの底部１０４には、係合突起部１０６および第３コネクタ部１０７が設けられている。係合突起部１０６をベースユニット４００の上面４０１（図５参照）に設けられた係合凹部４０２（図５参照）の位置に合わせてキャリア本体１００ａの底部１０４をベースユニット４００の上面４０１に上方から被せると、係合突起部１０６が係合凹部４０２と係合して安定的にキャリア本体１００ａをベースユニット４００上に載置させることができる。また、係合突起部１０６が係合凹部４０２と係合するときには、ベースユニット４００の上面４０１に設けられたコネクタカバー４０３（図５参照）が開いて、その内部に配置されたベースユニット４００のコネクタ部４０４（図６参照）にキャリア本体１００ａの第３コネクタ部１０７が接続される。キャリア本体１００ａは、ベースユニット４００のロック解除ボタン４０５を押しながらキャリア本体１００ａの把手部１０１を掴んでキャリア本体１００ａを上方に持ち上げることで、キャリア本体１００ａをベースユニット４００から分離させることができる。
【００２１】
なお、本実施の形態では、表示装置３００には、テレメータ８００を装着することができる。図４は、表示装置３００にテレメータ８００を装着する方法を説明するための図である。表示装置３００の側面には、取り外し可能なカバー３０３が付けられている（図４（ａ））。このカバー３０３は、テレメータインタフェース部３０４を覆うための部材である。カバー３０３を取り外した後に、テレメータインタフェース部３０４にテレメータ８００を図中の矢印方向に挿入すると（図４（ｂ））、表示装置３００にテレメータ８００が装着される（図４（ｃ））。表示装置３００はテレメータ８００を装着することで、表示装置３００の表示部３０１に表示される生体情報データを例えばセントラルモニタなどに無線送信することが可能となる。
【００２２】
図５は、ベースユニット４００の外観を示す背面斜視図である（図５（ａ）、図５（ｂ））。ベースユニット４００の背面には、取り外し可能なカバー４０６を有する。このカバー４０６は、ネットワークインタフェース部４０７などを覆うための部材である。このカバー４０６を取り外した後に、ネットワークインタフェース部４０７に、外部装置との通信を可能にする接続手段（例えばＬＡＮケーブルなど）を接続することで、生体情報モニタ１のコンポーネントを通信ネットワーク７００（図６参照）経由で外部装置と通信させることが可能となる。また、ベースユニット４００の背面には、商用電源６００（図６参照）に接続するための電源コードコネクタ部４０８を有する。電源コードを電源コードコネクタ部４０８に接続することで、商用電源６００から電源供給を受けることが可能となる。
【００２３】
図６は、生体情報モニタ１の構成を示すブロック図であり、各コンポーネントの機能的構成を概略的に示したものである。前述のとおり生体情報モニタ１は、キャリア１００、入力装置２００、表示装置３００、およびベースユニット４００を有する。なお、図６においてブロック間を接続する実線は各種生体情報データや操作信号などの伝送経路を示し、点線は電源供給経路を示す。
【００２４】
入力装置２００は、入力コネクタ部２０１、コネクタ部２０２、計測処理部２０３、記憶部２０４、および電源制御部２０５を有する。
【００２５】
入力コネクタ部２０１は、患者に装着された生体情報検出部を入力装置２００に接続させるためのコネクタである。本実施の形態では、生体情報検出部は、心電図を検出するための心電電極５０１、血圧を検出するための血圧測定用カフ５０２、体温を検出するための体温センサ５０３、ＳｐＯ２を検出するためのＳｐＯ２センサ５０４、および心拍出量を検出するための心拍出量センサ５０５を含むが、生体情報検出部はこれらに限られない。よって、本実施の形態では、入力コネクタ部２０１は、心電電極５０１を接続させるための第１入力コネクタ部２０１ａ、血圧測定用カフ５０２を接続させるための第２入力コネクタ部２０１ｂ、体温センサ５０３を接続させるための第３入力コネクタ部２０１ｃ、ＳｐＯ２センサ５０４を接続させるための第４入力コネクタ部２０１ｄ、および心拍出量センサ５０５を接続させるための第５入力コネクタ部２０１ｅから構成されている。入力コネクタ部２０１は、接続された生体情報検出部と計測処理部２０３との間のインタフェースとして機能する。
【００２６】
計測処理部２０３は、記憶部２０４に記憶されたプログラムを実行することで、所定の計測処理を実行する。この計測処理によって、計測処理部２０３は、入力コネクタ部２０１に接続された生体情報検出部を用いて患者の生体情報データを計測する。なお、上記生体情報検出部を用いた各種生体情報の計測方法については従来周知のものを適用可能であるため、ここではその詳細な説明を省略する。また、計測処理部２０３は、過去に計測されて記憶部２０４に記憶されている生体情報データを読み出すこともできる。
【００２７】
記憶部２０４は、計測処理部２０３により実行されるプログラムや計測処理部２０３により計測された生体情報データを記憶する。
【００２８】
コネクタ部２０２は、入力装置２００がキャリア１００に装着されたときにキャリア１００の第１コネクタ部１０５と接続し、これによりキャリア１００と入力装置２００とを電気的に接続させるコネクタである。キャリア１００と入力装置２００との間における電源供給および生体情報データ伝送の経路は、キャリア１００と入力装置２００とが電気的に接続された状態のときに接続され、キャリア１００と入力装置２００とが電気的に切断された状態のときに遮断される。
【００２９】
電源制御部２０５は、入力装置２００の外部からコネクタ部２０２を介して電源供給を受け、これにより入力装置２００の各部を駆動する。
【００３０】
表示装置３００は、表示部３０１、コネクタ部３０２、表示処理部３０５、記憶部３０６、電源制御部３０７、およびテレメータインタフェース部３０４を有する。
【００３１】
コネクタ部３０２は、表示装置３００がキャリア１００に装着されたときにキャリア１００の第２コネクタ部１０８と接続し、これによりキャリア１００と表示装置３００とを電気的に接続させるコネクタである。キャリア１００と表示装置３００との間の電源供給経路および伝送経路は、キャリア１００と表示装置３００とが電気的に接続された状態のときに接続され、キャリア１００と表示装置３００とが電気的に切断された状態のときに遮断される。
【００３２】
表示処理部３０５は、記憶部３０６に記憶されたプログラムを実行することで、所定の表示処理を実行する。この表示処理によって、表示処理部３０５は、生体情報データを計測値または波形の形式で表示部３０１に表示させる。表示処理部３０５は、外部からコネクタ部３０２を介して受信された生体情報データに対して表示処理を実行する場合は、その生体情報データをリアルタイムで表示部３０１に表示させることができる。ただし、表示処理部３０５は、記憶部３０６に記憶されている生体情報データを読み出し、これに対して表示処理を行うことで、過去の生体情報データをトレンドグラフなどの形式で表示させることもできる。
【００３３】
表示部３０１は、例えばタッチパネルであり、生体情報データを表示する表示機能を有するだけでなく、操作者による入力操作を受け付ける入力部としての機能も有する。表示部３０１は操作者による入力操作を受け付けたときに、その操作の内容に従って表示装置３００内の各部あるいは生体情報モニタ１内の各部を動作させるための操作信号を生成する。生成された操作信号は、表示装置３００内あるいは生体情報モニタ１内の伝送経路を介して適宜伝送される。
【００３４】
記憶部３０６は、表示処理により表示部３０１に表示される生体情報データを記憶する。
【００３５】
電源制御部３０７は、表示装置３００の外部からコネクタ部３０２を介して電源供給を受け、これにより表示装置３００の各部を駆動させる。
【００３６】
テレメータインタフェース部３０４は、前述のとおりテレメータ８００の着脱が可能な構成を有し、必要に応じてテレメータ８００を装着し、テレメータ８００を介して、生体情報データを無線送信することができる。
【００３７】
ベースユニット４００は、コネクタ部４０４、ネットワークインタフェース部４０７、主電源部４０９、予備電源部４１０、および電源制御部４１１を有する。
【００３８】
コネクタ部４０４は、キャリア１００がベースユニット４００上に載置されてキャリア１００の第３コネクタ部１０７がコネクタ部４０４に接続されたときに、キャリア１００とベースユニット４００とを電気的に接続させるコネクタである。キャリア１００とベースユニット４００との間の電源供給経路および伝送経路は、キャリア１００とベースユニット４００とが電気的に接続された状態のときに接続され、キャリア１００とベースユニット４００とが電気的に切断された状態のときに遮断される。
【００３９】
電源制御部４１１は、コネクタ部４０４を介してキャリア１００内に電源供給を行う。電源制御部４１１は、通常時は主電源部４０９からの供給電源をキャリア１００内に供給するが、非常時（例えば停電時）には代替的に予備電源部４１０からの供給電源をキャリア１００内に供給してもよい。
【００４０】
主電源部４０９は、電源コードコネクタ部４０８（図５参照）に接続された電源コードを介して外部の商用電源６００から電源供給を受け、交流−直流の変換などを行う回路を備えた電源部である。
【００４１】
予備電源部４１０は充電部４１２とバッテリ収容部４１３とを有する。予備電源部４１０は、主電源部４０９を駆動電源として、バッテリ収容部４１３に収容されたバッテリの充電を行う。バッテリ収容部４１３は、後述するキャリア１００内のバッテリ収容部１０９に収容可能なバッテリを収容することができるように構成されている。したがって、予備電源部４１０は、キャリア１００内で使用される予備のバッテリをベースユニット４００において充電することができる。なお、バッテリ収容部４１３に収容されている充電後のバッテリからの電源を非常時用の供給電源として使用可能である。
【００４２】
ネットワークインタフェース部４０７は、ベースユニット４００を通信ネットワーク７００に接続するインタフェースである。ベースユニット４００を通信ネットワーク７００に接続させることで、生体情報モニタ１の入力装置２００および表示装置３００と外部装置との間のデータ通信が可能となる。
【００４３】
キャリア１００は、第１コネクタ部１０５、第２コネクタ部１０８、第３コネクタ部１０７、伝送処理部１１０、電源制御部１１１、および予備電源部１１２を有する。
【００４４】
第１コネクタ部１０５、第２コネクタ部１０８、第３コネクタ部１０７のそれぞれは、前述のとおり、キャリア１００と各コンポーネントとを電気的に接続させる。
【００４５】
伝送処理部１１０は、第１コネクタ部１０５、第２コネクタ部１０８、および第３コネクタ部１０７の間の伝送経路を中継するよう構成されており、入力装置２００、表示装置３００およびベースユニット４００の間のデータ伝送を行う。
【００４６】
予備電源部１１２は、充電部１１３とバッテリ収容部１０９とを有する。予備電源部１１２は、主電源部４０９を駆動電源として、バッテリ収容部１０９に収容されたバッテリの充電を行う。なお、バッテリ収容部１０９に収容されている充電後のバッテリからの電源を非常時用の供給電源として使用可能である。
【００４７】
電源制御部１１１は、入力装置２００および表示装置３００の駆動電源の選択を行う制御部である。すなわち、電源制御部１１１は、キャリア１００内の予備電源部１１２（より具体的にはその内部に収容されたバッテリ）からの供給電源、およびベースユニット４００（主としてベースユニット４００内の主電源部４０９）からの供給電源のいずれか一方を、駆動電源として選択する。例えば、電源制御部１１１は、ベースユニット４００からの供給電源が受けられる状態のときにはベースユニット４００からの供給電源を選択し、そうでない状態のときにはキャリア１００内の予備電源部１１２からの供給電源を選択する。
【００４８】
次いで、生体情報モニタ１の使用場面に応じた上記コンポーネントの組合せおよび生体情報モニタ１の動作について、いくつか例を挙げて説明する。
【００４９】
（使用例１）
使用例１では、入力装置２００を生体情報モニタ１から取り外して使用する。ここでは、患者が例えば病室（以下、「搬送元」という）から、例えば手術室や他の部屋（以下、「搬送先」という）に搬送される場面において、搬送元には生体情報モニタ１が設置されていて、搬送先には別の生体情報モニタの表示装置などが設置されている場面を想定する。
【００５０】
搬送元では、入力装置２００をキャリア１００から引き出すことで、入力装置２００単体を生体情報モニタ１から取り外すことができる。よって、あらかじめ患者に装着されて入力装置２００に接続されている生体情報検出部を取り外すことなく、患者の搬送に伴って入力装置２００を搬送先まで持ち運ぶことができる。そして、搬送先では、この入力装置２００を別の生体情報モニタの表示装置などに例えばケーブルを介して接続することができる。なお、別の生体情報モニタが本実施の形態の生体情報モニタ１と同一構成であれば、その生体情報モニタのキャリアに差し込み装着することで、入力装置２００をその生体情報モニタに接続することができる。搬送先に患者が搬送されたとき、患者に装着されている生体情報検出部は入力装置２００に接続されているので、あらためて生体情報検出部を装着し直す必要がない。したがって、別の生体情報モニタへの入力装置２００の接続を完了するだけで、その時点から搬送先でのモニタリングを素早く開始することができるので、搬送中のモニタリング中断期間を短縮することができる。
【００５１】
（使用例２）
使用例２の使用場面は、基本的に使用例１と同様であるが、ここでは生体情報モニタ１から取り外して使用されるコンポーネントがキャリア１００および入力装置２００である。なお、この場面では、表示装置３００が生体情報モニタ１からあらかじめ取り外されているものとするが、表示装置３００を生体情報モニタ１から取り外して使用する場面については後述する。
【００５２】
この場合、患者搬送中に、入力装置２００はキャリア１００内の予備電源部１１２を駆動電源部として、生体情報データを計測する動作を行うことができる。そのため、搬送元に設置された生体情報モニタ１から、キャリア１００に入力装置２００が装着された状態で、入力装置２００ごとキャリア１００を取り外してから、搬送先に設置された別の種類の生体情報モニタに入力装置２００ごとキャリア１００が、ケーブルを介して接続されるまでの間に計測された生体情報データを、記憶部２０４に記憶させておくことができる。つまり、入力装置２００は患者搬送時なども含めて患者の生体情報データの計測および保持を、中断することなく継続することができる。また、搬送先に設置された別の種類の生体情報モニタに入力装置２００ごとキャリア１００が、ケーブルを介して接続することにより、この別の種類の生体情報モニタの表示装置に入力装置２００が計測または保持している生体情報データを表示させることができる。
【００５３】
なお、搬送先にベースユニット４００と同型のベースユニットが設置されている場合、患者の生体情報データの計測および保持をしている入力装置２００が装着されているキャリア１００をそのまま同型ベースユニット上に載置させることができる。そのとき、キャリア１００の電源制御部１１１は、入力装置２００の駆動電源部として同型ベースユニット内の主電源部を選択することができる。すなわち、入力装置２００は、キャリア１００を介して同型ベースユニットからの電源供給を受けることができ、引き続き患者の生体情報データの計測および保持を行うことができる。また、同型ベースユニットと、搬送先やナースステーションに設置された生体情報モニタとが接続手段（例えばＬＡＮケーブルなど）を介して通信可能な場合に、搬送先に設置された同型のベースユニット上に入力装置２００が装着されているキャリア１００を載置することにより、それらの生体情報モニタの表示装置に入力装置２００が計測または保持している生体情報データを表示させることができる。
【００５４】
（使用例３）
使用例３では、キャリア１００と入力装置２００と表示装置３００とを生体情報モニタ１から取り外して使用する。すなわち、使用例３の使用場面は、基本的に使用例２と同様であるが、キャリア１００に入力装置２００が装着され、かつ表示装置３００もキャリア１００に装着された状態で使用される点が、使用例２と相違する。
【００５５】
この場合、患者搬送中に計測される生体情報データをリアルタイムで表示装置３００に表示させることができるので、リアルタイムでモニタリングを継続しながら患者を搬送元から搬送先まで搬送することができる。
【００５６】
なお、搬送先にベースユニット４００と同型のベースユニットが設置されている場合、モニタリング動作中の入力装置２００および表示装置３００が装着されているキャリア１００をそのまま同型ベースユニット上に載置させることができる。そのとき、キャリア１００の電源制御部１１１は、入力装置２００および表示装置３００の駆動電源部として同型ベースユニット内の主電源部を選択することができる。すなわち、入力装置２００および表示装置３００は、キャリア１００を介して同型ベースユニットからの電源供給を受けることができ、引き続きリアルタイムでのモニタリングを行うことができる。
【００５７】
（使用例４）
使用例４では、表示装置３００を生体情報モニタ１から取り外して使用する。ここでは、生体情報モニタ１を、ベッドサイドに固定した状態で使用することを想定する。
【００５８】
より具体的には、ベースユニット４００はベッドサイドに固定されて設置される。キャリア１００には、患者に装着された生体情報検出部が接続された入力装置２００が装着され、その状態でキャリア１００がベースユニット４００上に載置される。一方、表示装置３００は、キャリア１００から分離される。表示装置３００がキャリア１００から分離した状態でも独立に駆動可能であれば、この表示装置３００は、例えば病室の壁に掛けて設置するなど、キャリア１００から分離した状態で使用可能である。なお、この場合は、例えば生体情報データや電源を供給するためのケーブルを表示装置３００のコネクタ部３０２とキャリア１００の第２コネクタ部１０８とに接続する。
【００５９】
この使用場面では、キャリア１００はベースユニット４００の主電源部４０９から電源供給を受けることができるので、電源制御部１１１は、キャリア１００に装着された入力装置２００の駆動電源部としてベースユニット４００内の主電源部４０９を選択することができる。したがって、入力装置２００はベースユニット４００の主電源部４０９からの電源供給により、患者から生体情報データを計測する動作を行うことができる。
【００６０】
前述のとおり表示装置３００は、キャリア１００から分離されているもののケーブルでキャリア１００と通信可能に接続されているので、計測された生体情報データを、キャリア１００を介して入力装置２００から表示装置３００に伝送することができる。すなわち、表示装置３００において、生体情報データの波形または計測値をリアルタイムに表示させることができる。
【００６１】
このように、表示装置３００は、必ずしも生体情報モニタ１における他のコンポーネントと一体化されている必要はなく、キャリア１００から分離していても使用可能である。したがって、ベースユニット４００の設置位置にかかわらず表示装置３００を任意の場所を設置することができる。
【００６２】
なお、ベースユニット４００にはネットワークインタフェース部４０７が装備されていて、ベースユニット４００は通信ネットワーク７００を介して外部装置と通信可能に接続されている。したがって、計測された生体情報データを、キャリア１００、ベースユニット４００および通信ネットワーク７００を介して外部装置に伝送することができる。
【００６３】
以上のように本実施の形態によれば、生体情報モニタ１は、キャリア１００、入力装置２００、表示装置３００およびベースユニット４００の４つのコンポーネントに分離できるように構成されている。そして、これらのコンポーネントのうち、搬送のための把手部１０１を有するキャリア１００を介して、入力装置２００、表示装置３００およびベースユニット４００の相互接続がなされるように、キャリア１００が構成されている。より具体的には、キャリア１００は、ベースユニット４００上に載置可能な底部１０４と、入力装置２００を着脱可能な第１装着部１０２と、表示装置３００を着脱可能な第２装着部１０３と、を有する。さらに、キャリア１００には、第１、第２、第３コネクタ部１０５、１０７、１０８が設けられている。第１コネクタ部１０５は、第１装着部１０２に入力装置２００が装着されたときに入力装置２００とベースユニット４００および表示装置３００とを電気的に接続させることができる。第２コネクタ部１０８は、第２装着部１０３に表示装置３００が装着されたときに表示装置３００とベースユニット４００および入力装置２００とを電気的に接続させることができる。第３コネクタ部１０７は、キャリア１００がベースユニット４００上に載置されたときにベースユニット４００と入力装置２００および表示装置３００とを電気的に接続させることができる。このような構成により、生体情報モニタ１は、コンポーネントの組合せを自在に組み替えることで前述のような様々な使用場面に対応することができる。
【００６４】
以上、本発明の実施の形態について説明したが、以上の説明は本発明の好適な実施の形態の例証であり、本発明の範囲はこれに限定されるものではない。よって、上記実施の形態は、種々変更して実施可能である。
【符号の説明】
【００６５】
１  生体情報モニタ
１００  キャリア
１００ａ  キャリア本体
１０１  把手部
１０２  第１装着部
１０３  第２装着部
１０４  底部
１０５  第１コネクタ部
１０７  第３コネクタ部
１０８  第２コネクタ部
１０９、４１３  バッテリ収容部
１１０  伝送処理部
１１１、２０５、３０７、４１１  電源制御部
１１２、４１０  予備電源部
１１３、４１２  充電部
２００  入力装置
２０１  入力コネクタ部
２０２、３０２、４０４  コネクタ部
２０３  計測処理部
２０４、３０６  記憶部
３００  表示装置
３０１  表示部
３０４  テレメータインタフェース部
３０５  表示処理部
４００  ベースユニット
４０７  ネットワークインタフェース部
４０９  主電源部
【図１】
2014161680.tif 000003
【図２】
2014161680.tif 000004
【図３】
2014161680.tif 000005
【図４】
2014161680.tif 000006
【図５】
2014161680.tif 000007
【図６】
2014161680.tif 000008